(57)【要約】【課題】  本発明は、車載用電子機器に関するもので、エネルギー補給後のエネルギー補給口の扉の閉め忘れを低減させ、使い勝手を向上させることを目的とするものである。【解決手段】  上記目的を達成するために本発明は、本体ケース４と、この本体ケース４内に設けた制御部７と、この制御部７にユーザへ情報を伝える報知部１２、および車両と通信する通信部９を接続する構成とし、制御部７は、通信部９を介してエネルギー補給情報を取得すれば、エネルギー補給口の扉を確認する内容を報知部１２により報知させる構成とした。【選択図】図３
2012197016.tif 000002
【特許請求の範囲】
【請求項１】
本体ケースと、この本体ケース内に設けた制御部と、この制御部にユーザへ情報を伝える報知部、および車両と通信する通信部を接続する構成とし、前記制御部は、前記通信部を介してエネルギー補給情報を取得すれば、エネルギー補給口の扉を確認する内容を前記報知部により報知させる構成とした車載用電子機器。
【請求項２】
前記報知部は、アラーム、ＬＥＤ、およびディスプレイのいずれかを含む手段により報知する構成とした請求項１に記載の車載用電子機器。
【請求項３】
前記エネルギー補給情報は、ガソリンの補給を含む情報である請求項１に記載の車載用電子機器。
【請求項４】
前記報知部は、前記制御部に接続された車両周囲を撮像する撮像部の画像を表示する表示部を含み、
前記制御部は、前記撮像部の撮像したエネルギー補給口の扉近傍の画像を前記表示部に表示させる構成とした請求項１に記載の車載用電子機器。
【発明の詳細な説明】
【技術分野】
【０００１】
本発明は、画面に車両情報を表示する車載用電子機器に関するものである。
【背景技術】
【０００２】
近年、セルフ方式のガソリンスタンドが増えたこともあり、ガソリン給油後に給油口の扉を閉め忘れる状態が発生している。
【０００３】
従来のこの種、車載用電子機器の構成は以下のような構成となっていた。
【０００４】
すなわち、給油口のキャップに設けられる施錠部を開閉可能な施錠用蓋を有する燃料タンクにあって、施錠用蓋の開閉を検知し、検知信号を出力する開閉検知手段を備え、この開閉検知手段が、施錠用蓋の開閉を検知し、検出信号を出力するばねを有する飛出し式スイッチと、この飛出し式スイッチの検知信号を出力する配線を有する検知回路と、飛出し式スイッチの検知信号に応じて施錠用蓋の開閉を報知する警報灯とを含む構成となっていた（例えば、特許文献１参照）。
【先行技術文献】
【特許文献】
【０００５】
【特許文献１】特開２００８−１８９０３５号公報
【発明の概要】
【発明が解決しようとする課題】
【０００６】
しかしながら、前記従来例のように、給油口付近に扉（蓋）の開閉を検知するスイッチ、つまり電気的接点を揮発性のガソリンを扱う場所に使用することは好ましくない。また、このような事態に十分対処するには、電気的接点付近の構造を複雑なものとしなければならず、生産コストが高くなってしまう。
【０００７】
本発明は、揮発性のガソリンなどを扱う箇所の近くに電気的接点を設けることなく、簡単な構成で給油口の扉の閉め忘れを低減させ、使い勝手を向上させること目的とする。
【課題を解決するための手段】
【０００８】
上記目的を達成するために本発明は、本体ケースと、この本体ケース内に設けた制御部と、この制御部にユーザへ情報を伝える報知部、および車両と通信する通信部を接続する構成とし、制御部は、通信部を介してエネルギー補給情報を取得すれば、エネルギー補給口の扉を確認する内容を報知部により報知させる構成とし、これにより所期の目的を達成するものである。
【発明の効果】
【０００９】
以上のように本発明は、本体ケースと、この本体ケース内に設けた制御部と、この制御部にユーザへ情報を伝える報知部、および車両と通信する通信部を接続する構成とし、制御部は、通信部を介してエネルギー補給情報を取得すれば、エネルギー補給口の扉を確認する内容を報知部により報知させる構成としたものであるので、所期の目的を達成するものである。
【００１０】
すなわち、本発明においては、制御部は、通信部を介してエネルギー補給情報を取得すれば、エネルギー補給口の扉を確認する内容を報知部により報知させる構成としたものであるので、揮発性のガソリンなどを扱う箇所の近くに電気的接点を設けることなく、簡単
な構成で給油口の扉の閉め忘れを低減させることができ、その結果として、使い勝手が向上するものとなる。
【図面の簡単な説明】
【００１１】
【図１】本発明の実施の形態にかかる車載用電子機器の実装形態を示す図
【図２】同構成を示す正面図
【図３】同制御ブロック図
【図４】同制御フローチャート
【図５】同動作状態を示す正面図
【図６】同動作状態を示す正面図
【発明を実施するための形態】
【００１２】
（実施例）
以下、本発明の実施の形態１における車載用電子機器２について図面を参照しながら説明する。
【００１３】
図１は、自動車の車内を模式的に示したものであって、ステアリング１の左方には、車載用電子機器２が配置されている。
【００１４】
図１において、ステアリング１の左側にある車載用電子機器２はディスプレイ３を前面に設けた本体ケース４を有し、本体ケース４は自動車のコンソールに対して固定設置されている。
【００１５】
さて、図２は、車載用電子機器２の具体的な構成を、図３は、ブロック図を示すものである。
【００１６】
車載用電子機器２は、図１に示す本体ケース４と、この本体ケース４の表面側に設けたディスプレイ３と、このディスプレイ３の下側にボタン類で構成される操作部５を備える。
【００１７】
また、ディスプレイ３の上方には、ディスク挿入口６を有する。なお、ディスプレイ３は、液晶パネルを用いることが好適で、ナビゲーション画面や再生中の楽曲タイトル、および車両の周囲の画像を表示する。
【００１８】
また、図３のブロック図に示すように、これらディスプレイ３、操作部５に接続されるとともに本体ケース４内に設けた制御部７と、この制御部７に接続された通信部９、およびスピーカ１０とを備えている。また、制御部７には、車両周囲の画像（映像も含む）を撮像する撮像部１１が接続されている。なお、ディスプレイ３、およびスピーカ１０が報知部１２の好適例である。
【００１９】
一方、通信部９は、車両に設置される車両制御部１４と車内ＬＡＮなどの通信手段により接続される。この通信部９は、車両制御部１４を介して、車両制御部１４に接続された燃料計１３などが所定以上燃料が増えたことを検知すれば、給油されたとのエネルギー補給情報を取得する。なお、電気自動車であれば、充電量が増えたことを検知し、充電されたとのエネルギー補給情報を取得する。
【００２０】
以上の構成において、以下本実施の形態における動作について図４から図６を用いて説明する。
【００２１】
まず、制御部７は、ＡＣＣ電源がＯＮされ、イグニッションがＯＮされると、処理を開
始する（ステップＳ１）。
【００２２】
そして、制御部７は、車両制御部１４から通信部９を介してエネルギー補給情報を取得すれば（ステップＳ２のＹｅｓ）、ステップＳ３へ進む。ステップＳ３では、制御部７が報知部１２に給油扉を確認する内容の報知をさせる。具体的には、図５のように、ディスプレイ３に「給油口の扉を確認」のテキストを表示する。その他、スピーカ１０からの音による報知やＬＥＤ（図示しない）による報知であってもよい。
【００２３】
次に、制御部７は、撮像部１１の準備が整ったかを確認後（ステップＳ４）、撮像部１１の撮像した給油口の扉近傍の画像をディスプレイ３に表示する（ステップＳ５）。この時、図６に示すようにディスプレイ３を２分割し、撮像部１１の画像と共に「給油口の扉を確認」のテキストを表示させるようにしてもよい。
【００２４】
次に、制御部７は、所定時間経過すれば、処理を終了する（ステップＳ６）。
【００２５】
以上のごとく本実施の形態においては、本体ケースと、この本体ケース内に設けた制御部と、この制御部にユーザへ情報を伝える報知部、および車両と通信する通信部を接続する構成とし、制御部は、通信部を介してエネルギー補給情報を取得すれば、エネルギー補給口の扉を確認する内容を報知部により報知させる構成としたものであるので、所期の目的を達成するものである。
【００２６】
すなわち、本発明においては、制御部は、通信部を介してエネルギー補給情報を取得すれば、エネルギー補給口の扉を確認する内容を報知部により報知させる構成としたものであるので、揮発性のガソリンなどを扱う箇所の近くに電気的接点を設けることなく、簡単な構成で給油口の扉の閉め忘れを低減させることができ、その結果として、使い勝手が向上するものとなる。
【産業上の利用可能性】
【００２７】
本体ケースと、この本体ケース内に設けた制御部と、この制御部にユーザへ情報を伝える報知部、および車両と通信する通信部を接続する構成とし、制御部は、通信部を介してエネルギー補給情報を取得すれば、エネルギー補給口の扉を確認する内容を報知部により報知させる構成としたものであるので、所期の目的を達成するものである。
【００２８】
したがって、車載用として広く活用が期待されるものとなる。
【符号の説明】
【００２９】
１  ステアリング
２  車載用電子機器
３  ディスプレイ
４  本体ケース
５  操作部
６  ディスク挿入口
７  制御部
９  通信部
１０  スピーカ
１１  撮像部
１２  報知部
１３  燃料計
１４  車両制御部
【図１】
2012197016.tif 000003
【図２】
2012197016.tif 000004
【図３】
2012197016.tif 000005
【図４】
2012197016.tif 000006
【図５】
2012197016.tif 000007
【図６】
2012197016.tif 000008